(57)【要約】【課題】エステティック及び／又はマッサージの効果を客観的、且つ、科学的に表示し、正確に被施術者に伝える技術を提供する。【解決手段】顔の形状の日内変動を指標とし、マッサージ及び／又はエステティックの施術の効果を評価する。かかるマッサージ及び／又はエステティックの施術の効果について、施術前後の顔の立体形状の変化を用いて表示する。立体形状の変化としては、顔の正面図における色分け高低表示によって示すことが好ましい。この様な表示をカウンセリングシートなどに掲載することにより、エステティック及び／又はマッサージの効果を客観的、且つ、科学的に表示し、正確に被施術者に伝えることが出来る。【選択図】　なし【特許請求の範囲】
【請求項１】
顔の形状の日内変動を指標とすることを特徴とする、マッサージ及び／又はエステティックの施術の効果の評価法。
【請求項２】
顔の形状が、目の周囲のふくらみ具合及び／又は頬から額にかけてのふくらみ具合であることを特徴とする、請求項１に記載の評価法。
【請求項３】
マッサージ及び／又はエステティックの施術前後の変化が、夕方の形状から朝の形状の方向への変化の程度の大きさであることを特徴とする、請求項１又は２に記載の評価法。
【請求項４】
マッサージ及び／又はエステティックの施術の効果の、施術前後の顔の立体形状の変化を用いての表示。
【請求項５】
顔の立体形状の変化が、顔の正面図における色分け高低表示によって示されることを特徴とする、請求項４に記載の表示。
【請求項６】
マッサージ及び／又はエステティックの前後の顔の立体図を、顔の立体形状の日内の変化の差の最も大きい２つの顔の立体図とともに並べて表示することを特徴とする、マッサージ及び／又はエステティックの施術の効果の表示。
【請求項７】
顔の立体図が、顔の正面図における色分け高低表示によって示されることを特徴とする、請求項６に記載の表示。
【請求項８】
顔の立体図が、モアレ図によって為されることを特徴とする、請求項６に記載の表示。
【請求項９】
請求項６〜８何れか１項に記載の表示を記載する、マッサージ及び／又はエステティックの説明媒体。
【発明の詳細な説明】
【０００１】
【発明の属する技術分野】
本発明は、マッサージ及び／又はエステティックの施術の効果の評価法、及びその表示に関する。
【０００２】
【従来の技術】
マッサージ或いはエステティックは、身体に物理的刺激である施術を施して、これにより生体の生理的な機能や心理的な機能を高める手段であり、ストレスの緩和やストレスに起因する生体機能の不全の回復に有用であることが知られている。この為、ストレス性疾患の著しい近年に於いては、この様な事業分野は急激な成長をしていると言われている。しかしながら、この様なエステティック、或いは、マッサージなどの施術の効果については、客観的な測定はあまり為されていないし、その効果を科学的根拠に基づいて表示されたものもまり存在しない。エステティック或いはマッサージの施術についての記述で知られているのは、その施術の手技の記載についてのみであり、それもエステティック用の化粧料或いはマッサージ料の説明に添えて行われる程度であった。（特開２００２−３４４、特開平０９−１０３４１３号）
【０００３】
一方、マッサージ或いはエステティックが身体の形状に影響を及ぼすであろうことは論議されてきていることであるが、どの様な影響を与えるかは知られていないし、身体の形状への影響について明らかにしている文献も無い。又、顔などの身体の形状に日内変動があることも知られていなかったし、エステティックの効果と身体の形状の日内変動を結びつけて考察することも行われていなかった。
【０００４】
従って、顔の形状の日内変動を指標とし、マッサージ或いはエステティックの効果を評価することも全く知られていなかったし、これを利用することにより、マッサージ或いはエステティックの効果を表示することも全く行われていなかった。
【０００５】
【発明が解決しようとする課題】
本発明は、この様な状況下為されたものであり、エステティック及び／又はマッサージの効果を客観的、且つ、科学的に表示し、正確に被施術者に伝える技術を提供することを課題とする。
【０００６】
【課題の解決手段】
この様な状況に鑑みて、本発明者らは、エステティック及び／又はマッサージの効果を客観的、且つ、科学的に表示し、正確に被施術者に伝える技術を求めて鋭意研究努力を重ねた結果、顔の形状の日内変動を指標とすることにより、エステティック及び／又はマッサージの客観的、且つ、科学的な評価が出来、これを表示することにより、被施術者にエステティック或いはマッサージの効果を的確に理解してもらうことが出来ることを見出し、発明を完成させるに至った。即ち、本発明は、以下に示す技術に関するものである。
（１）顔の形状の日内変動を指標とすることを特徴とする、マッサージ及び／又はエステティックの施術の効果の評価法。
（２）顔の形状が、目の周囲のふくらみ具合及び／又は頬から額にかけてのふくらみ具合であることを特徴とする、（１）に記載の評価法。
（３）マッサージ及び／又はエステティックの施術前後の変化が、夕方の形状から朝の形状の方向への変化の程度の大きさであることを特徴とする、（１）又は（２）に記載の評価法。
（４）マッサージ及び／又はエステティックの施術の効果の、施術前後の顔の立体形状の変化を用いての表示。
（５）顔の立体形状の変化が、顔の正面図における色分け高低表示によって示されることを特徴とする、（４）に記載の表示。
（６）マッサージ及び／又はエステティックの前後の顔の立体図を、顔の立体形状の日内の変化の差の最も大きい２つの顔の立体図とともに並べて表示することを特徴とする、マッサージ及び／又はエステティックの施術の効果の表示法。
（７）顔の立体図が、顔の正面図における色分け高低表示によって示されることを特徴とする、（６）に記載の表示。
（８）顔の立体図が、モアレ図によって為されることを特徴とする、（６）に記載の表示。
（９）（６）〜（８）何れか１項に記載の表示を記載する、マッサージ及び／又はエステティックの説明媒体。
【０００７】
【発明の実施の形態】
以下に、実施の形態を挙げて、本発明について更に詳細に説明を加える。
（１）顔の形状の測定
顔の形状測定は、非接触型三次元形状計測装置により、計測することが出来る。この様な非接触型三次元形状計測装置は数種のものが市販されており、それを用いて計測することが出来る。例えば、ＮＥＣエンジニアリング株式会社より販売されているＤａｎａｅ−Ｒレンジファインダー等が好適に例示できる。（ｈｔｔｐ：／／ｗｗｗ．ｎｅｃ−ｅｎｇ．ｃｏ．ｊｐ／ｃｍ／ｆｉｎｄｅｒ）これにより、顔の形状の三次元測定が出来、その結果を種々の形で表示できるが、本発明の評価法においては、顔の正面図における色分け高低表示することが好ましい。特に、施術前後の変化を示す場合には、前後の高低の差の大きさに従って、色別表示することが好ましい。
【０００８】
（２）顔の形状の日内変動
本発明者らは、顔の形状の測定を行っていて、バラツキが大きいことに気がついた。原因を追及したところ、顔の形状に日内変動があり、測定時間が異なるとそれがバラツキなって現れることを見出した。そこで、日内変動の様子を調べた。結果を、高低差の色別表示、即ち、夕方の高低を表す座標から朝のそれを減じ、正であれば明るく、ゼロ乃至はマイナスであればその程度に応じて暗く表す表示すると、図１に示す如くになる。この傾向を概略を述べると、午前（午前１０時に測定）に比し夕方（午後５時）では、頬下部から顎にかけて０．４〜１．７ｍｍの前方（法線方向）に膨らみ、眼窩上下部では０．４〜１．８ｍｍ後退する。この変化の大きさは部位により微妙に異なるため、前記の三次元測定に於ける高低表示図のパターン比較で把握することが好ましい。
【０００９】
（３）エステティック及び／又はマッサージの施術の評価の指標としての顔の形状の日内変動及び本発明の表示
本発明のエステティック及び／又はマッサージの施術の評価法では、前記顔の形状の日内変動を、評価の指標とする。即ち、本発明者らの検討によれば、エステティック或いはマッサージの施術によっても、顔の形状は変化し、被施術者が心地よい、或いは、効果を感じたエステティック施術或いはマッサージ施術においては、前記顔の形状変化（施術前から施術後の変化）は、日内変動に於ける夕方のパターンから午前のパターンへの変化に近似している。このことは、言い換えれば、日内変動に於ける夕方のパターンから午前のパターンへの変化に近い変化を、エステティック或いはマッサージの施術によって喚起できれば、その施術は良い施術であったと評価でき、夕方のパターンに近いところで変化が留まっていれば、施術が不十分なものでしかなかったと評価でき、午前のパターンを越してしまった場合には、過度な施術であったと評価出来る。この様なパターンの比較においては、施術者も、又、被施術者もその効果が明瞭に認識できることから、エステティックやマッサージの良し悪しが即時的に判断できる。これにより、効果が確認された場合には、その認識により更に好適な効果を上乗せすることが出来る。即ち、施術の満足感が増強される。この様な効果認識にとってより好ましい形態は、立体的変化を、顔の正面図における色分け高低表示によって示すことである。即ち、施術前の顔部位の高低を表す座標から施術後のそれを減じ、正であれば明るく、ゼロ乃至はマイナスであればその程度に応じて暗く表す表示である。立体変化の表示としては、このほかに断面図の比較による表示やモアレを用いての表示などがあるが、前記色分け高低表示を用いることが最も効果を率直に認識することが出来る。特に、顔の立体形状の日内変動の最も離れた２つ、即ち、朝の顔の形状と夕方の形状の差である、高低表示と並べて、施術前後の形状の図或いは写真を表示することにより、「施術により、夕方の疲れた顔が朝のさわやかな顔になる」と言う意識と連動し、施術の効果をより鮮烈にイメージすることが出来る。かかる顔の立体形状の変化の表示が本発明の表示である。
【００１０】
（４）本発明の表示の利用
前記本発明のエステティック及び／又はマッサージの施術の効果の表示は、前述の如く、施術者にも、被施術者に明白に効果を認識させることが出来るので、エステティック及び／又はマッサージの施術を行う際に、或いは、行った後でかかる表示を提示することにより、効果をより鮮烈に認識できるため、施術に対する信頼感が高まり、かかる信頼感が、より大きな効果をもたらす。従って、エステティック或いはマッサージについての説明を行う際に、日内変動などとともに予想される施術の前後の変化、或いは、エステティック乃至はマッサージの著効例の表示を提示することはこの意味において有利である。これを利用して、エステティック及び／又はマッサージの説明媒体に、かかる表示を掲載し、説明に用いることにより、より大きな施術の効果、或いは、施術者自身の施術技術の向上を促すことが出来る。この際に、前記顔の立体形状の日内変動の典型例を付随させるとより好ましい。
【００１１】
【実施例】
以下に、実施例を挙げて本発明について更に詳細に説明を加えるが、本発明がかかる実施例にのみ、限定されないことは言うまでもない。
【００１２】
＜実施例１＞
無作為に選抜したパネラー２名について、予めＤａｎａｅ−Ｒ　レンジファインダー（ＮＥＣエンジニアリング社）を用いて、顔の立体形状を測定した後、図２に示す方法にてエステティックの施術を行った。施術終了後、直ちに、再び顔の立体形状を計測した。この２名の何れに於いても、施術による顔の立体形状の変化は、同じ傾向であり、頬下部から顎にかけて０．４〜１．７ｍｍの前方（法線方向）に収縮し、眼窩上下部では０．４〜１．８ｍｍ前進（突出）する。この２人の内の著しい方の例を高低差の色別表示として、図３に示す。これは、図１に示す。日内変動の夕方パターンから朝パターンへの変化と類似していることがわかる。
【００１３】
＜実施例２＞
無作為に選抜したパネラー５名について、予め顔の立体形状の変化を測定しておき、実施例１と同様に、夕方の形状から朝の形状を減じた高低差色別表示図（全日内変化図）を作成しておいた。この時併せて、夕方と朝の変化の中間値の図（半日内変化図）も作成しておいた。図２に示す手技に従って、エステティックの施術を行い、その前後に於ける高低差色別表示図（エステティック効果図）を実施例１と同様に作成した。エステティック効果図と全日内変化図、半日内変化図とを比較し、エステティック効果図にスコアを付けた。即ち、全日内変化図のパターンをスコア４、半日内変化図のパターンをスコア２とし、エステティック効果図にスコアを付した。この様な作業と並行して、被施術者より唾液を採取し、心地よさの指標であるｓ−ＩｇＡ量と硫酸プラゲステロン量も測定した。測定は、サンドウィッチ抗体法に従ってｓ−ＩｇＡ量を、標識抗体法により、硫酸プラゲステロン量を求め、施術による増加率を求めた。結果を表１に示す。これよりスコア４に近づくほど、心地よさの指標値が上昇していることがわかる。
【００１４】
【表１】
2004113527.tif 000002
【００１５】
＜実施例３＞
図４に示すように、施術手順とその効果を高低差の色別表示で表した図とをリーフレットにし、パネラー２名に、これを用いて施術前にエステティックの説明（提示群）を行い施術した。又、別途２名のパネラーを用いて施術手順の説明図だけを用いて施術前の説明を行い、施術した。実施例２と同様に施術前後の諸示性値を測定或いは判定した。結果を表２に示す。これより提示群の方が優れた効果を示していることがわかる。
【００１６】
【表２】
2004113527.tif 000003
【００１７】
【発明の効果】
本発明によれば、エステティック及び／又はマッサージの効果を客観的、且つ、科学的に表示し、正確に被施術者に伝える技術を提供することができる。
【図面の簡単な説明】
【図１】立体的な顔の形状の日内変動を示す図である。
【図２】施術の手技を示す図である。
【図３】エステティック施術による、立体的な顔の形状の変化を示す図である。
【図４】実施例２のリーフレットを示す図である。
【図１】
2004113527.tif 000004
【図２】
2004113527.tif 000005
【図３】
2004113527.tif 000006
【図４】
2004113527.tif 000007